(57)【要約】      （修正有）【課題】容器の重力と浮力を動力源として電力エネルギーを得る装置を提供する。【解決手段】縦型水容器２内に底なしの重量空気体容器３を滑車７とワイヤーロープ５を用いて上下移動可能な状態に吊り下げ、縦型水容器２内を給水バルブ２３からの水で満水にし、給気口１６から重量空気体容器３へ空気を供給すると重量空気体容器３は水中を上方に浮上する。その後重量空気体容器３の天井に備えたマグネット開閉弁１８を開放すると重量空気体容器３内の空気は上方へ吐き出され、浮力が無くなるため重量空気体容器３は自身の重さで下方へ移動する。それに伴いワイヤーロープ５に接続されたチェーン１０と歯車１２の作用によってゴムタイヤ１１を回転させて発電機１３で発電を行う。【選択図】図１
2013002439.tif 000002
【特許請求の範囲】
【請求項１】
水中内で一体の重量体を上下移動により自然エネルギーを起す
縦形水容器内水中内で一体の重量空気体容器が吊り下がる重りにも活用し水中内で空気体浮上力自然エネルギーの力で重量体を押し上げる。一方で押し上げられた重量体を水中内吊り下がる力で発電を起す自然エネルギーが発生する一体を二方に活用する発電装置
【発明の詳細な説明】
【技術分野】
【０００１】地球上に空気と水と重力ある限り水中内空気体浮上力は無限に起きる
水中内空気体浮上力を活用し重量空気体容器を押し上げ重量空気体容器内から空気体を抜く重量空気体容器は金属重量体に変わり水中内を下方向に下がる力を活用する。水重量と金属重量の体積比重差を水中内で活用し自然エネルギーを起し発電を行う
水中内空気体浮上力を起す縦形水容器を立てて水容器内に空気体容器内上面に空気体開閉弁付底なし重量空気体容器を入れその後縦形水容器内に水を入れ水容器内底面より給気を行う
重量空気体容器浮上力は空気体と水の体積比重差応用し重量空気体容器を水中内で浮上を起す浮上後重量空気体容器内から空気体を抜き後は重量空気体容器が金属重量となり水容器内水中内で水重量体金属重量の体積比重差が起きる
金属重量分は水中内下方向に下がる、下がる力を活用する下に下がる金属重量分を発電機主軸回転は水容器外で行う発電機主軸回転を起す機材類機材類を備える櫓・滑車・クラッチ付歯車滑車・ワイヤーロープ・チェーン・外重り・発電機・縦形水容器発電機主軸回転主軸にクラッチ付歯車滑車を水容器内水中内重量空気体容器が下がる時は原動力回転を起す。重量空気体容器浮上時はクラッチ付歯車滑車空回り転じ外重りを吊り下げと原動力回転にチェーンを使用し水中内はワイヤーロープ使用する
水容器内重量空気体容器浮上と水中内を重力で吊り降りる重量空気体容器内には空気体開閉弁と水中内で使用できるコーティング加工マグネットを円形上に工作し水容器内水中内を重量空気体容器上から下へ吊り降りる通過速度に合せコーティングに加工マグネットと空気漏れを防ぐパッキンと重量空気体容器外頭上面に水中内浮上時の上水水重圧分を防ぐ上下移動フタを備える
【背景技術】
【０００２】１ｃｃ＝１ｇ空気対水の体積比重差を水中内で空気体浮上を起し重量物の押し上げて利用する又は同じ水中内で重量物吊し下げる力で発電・電力エネルギーに変え装置は現在までにはない
【先行技術文献】
【０００３】水中内で自然エネルギーを起す
水中内において１ｃｃ＝１ｇ空気対水の体積比重差応用する底なし空気体容器
水中内で空気と水の体積比重差を応用して水中内で重量体を空気体浮上力により水面上まで重量体を押し上げる力は自然エネルギー活用になります
空気体容器を重量体にして水中内で水と金属重量差により下がると力が発生する自然エネルギーで重量体を押し上げその場水中内を下方向に下げるために重量空気体容器内の空気体を抜き水中内で重量空気体の容器を吊り下げ吊り下がる力を活用して発電を行う。水中内で発電する原動力源を発生を行い外で発電を行う
水中内重量体を押し上げる・水中内重量体を吊り下げる力も自然エネルギーです
【特許文献】
【０００４】水中内に入れる重量空気体容器は吊り下げ重りになり自然エネルギーが起きる
水中内で自然エネルギーを起しその自然エネルギーを発電の原動力源にする
水中内１ｃｃ＝１ｇ空気と水の体積比重差活用・水と金属体積比重差を活用
水中内空気体浮上力で重量体を上方向に上げる力は自然エネルギー上げた重量体を水中内吊り下がるも水中内自然エネルギー
水中内で起きる自然エネルギーを活用して発電を行う発電装置
（例）水の中に入れる空気体容器内の体積を１００パーセントの考え空気体容器重量を９０パーセントまでの重量に金属空気体容器底なしを造る水中内に入れる重量空気体容器内頭上部に空気と水の開閉弁付を水容器内に入れて重量空気容器全体体積分を差し引き水量を水容器内定位置まで水を入れ後に水容器内底面より給気を行うと空気体容器内の水は空気体容器内から追い出されて空気体容器内は空気体の１つになり水中内で１ｃｃ＝１ｇの空気対水の体積比重差現象が現われ９０パーセントの重量空気対容器が水中を浮上する。
浮上後空気対容器内頭上部に備えてる空気と水の開閉弁が下方向に開き空気対容器内から空気対は排気され水より重量空気体容器は体積比重が重いので重量空気体容器は水中内に吊り下がり水容器外下に備えている発電機用のチェーンが引かれ発電機主軸回転が起きる発電して電力エネルギーに変えられる
水容器内重量空気体容器が下に下がる着地と同じに空気と水のマグネット付開閉弁が閉まる繰返し行われる。空気と水の体積比重差を水中内で浮上力変えて活用し水より重い重量体を上げて水中内で重量体を吊り下がる力は自然エネルギーです。
【発明の概要】
【発明が解決しようとする課題】
【０００５】水容器内に入れる重量空気体容器内頭上部に備える空気と水の開閉弁
水容器内の水量は定位置で水量が一定していますが水容器内水中内を重量空気体容器は上下に移動をしないと水中内で自然エネルギーは起せない。そのためには重量空気体容器内頭上部に備える空気と水の開閉弁口を大きく広くすることで水中内の重量空気体容器は水中内を上下移動が速くなり水中内の重量空気体容器の重量吊り下がりが活用でき水中内で自然エネルギーが起きる
【課題を解決するための手段】
【０００６】水容器内に入れる重量空気体容器頭上部外に空気体容器浮上時の上水水重圧止メを備える
重量空気体容器内頭上部に備えた空気と水の開閉弁図一・符号・１８
コーティングマグネットを使用して空気と水の開閉弁口を円形状に構作し備える
水容器内水中内を重量空気体容器浮上時に上部にある水の水重圧が加えられ開閉弁が下方向に下がるため空気体が漏れるから重量空気体容器外頭上部に水重量より重い水重加圧止メ材を円形状を上下移動するフタを備えて水重加圧止メをすると重量空気体容器は浮上する浮上後重量空気体容器内のマグネット開閉弁が下方向に下がり空気体は排気して重量空気体容器が水中内下方向に下がる時重量空気体容器が重いので下方向に下がる力で水重加圧止メフタは上方向に開き開いたまま水容器内底面に着地上ブタは水重量より重いから再度平にフタになる
空気と水のマグネット開閉弁も着地装置で閉じる。水容器内底面より再度給気を行うと水容器内の重量空気体容器は水中内を上下移動する繰返しが実施される
【発明の効果】
【０００７】縦形水容器内水中内だから水中内重量空気体容器浮上力が起き自然エネルギー発生源となる
縦形水容器内水中内に空気対水体積比重差応用で重量体を水中内で浮上力により重量体を押し上げる力自然エネルギー水中内限りです。水中内で重量体を押し上げ重量体が水中内を吊り下がるのが自然エネルギー発生源です。水容器内に重量空気体容器を入れ浮上力で押し上げ後吊り下げで自然エネルギー発生を行う。縦形水容器内で外発電の原動力源を起す。
自家発電・縦形水容器を連結体にすると電源開発が実施できる
【図面の簡単な説明】
【０００８】
【図１】立体側面図
【図２】立体正面図
【図３】平面図
【発明を実施するための形態】
【０００９】発明を実施するには水中内に入れる浮上用重量空気体容器を金属材加工
水中内浮上力起す空気体積と重量体ｋｇ（例）空気と水の体積比重差応用
水中内に入れる重量空気体容器内空気体積１００ｌ入り・重量空気体容器総重量９０ｋｇ内に構作し重量空気体底なし容器を縦形水容器内に入れる水中内では１００ｌ空気体体積量で９０ｋｇ重量体を空気体浮上力で縦形水容器内水上面まで押し上げる。
押し上げた９０ｋｇ重量体をその場水中内で吊り下げ、吊り下げ重量分で発電機軸回転を起す原動力源発生を水中内で起す。
浮上力自然エネルギーを起す機材を縦形水容器内外に装備する。縦形水容器を縦に立てる基礎台・櫓などを造り機材類を設置しその後縦形水容器を縦に立てて水容器内水定位置まで給水を行う。
縦形水容器内寸と水中内に入れる重量空気体容器外寸との間に隙間を設ける。
【実施例】
【００１０】  実施先立に櫓の代用として足場パイプ材で枠組み。その内で水道排水パイプＶＵ径３５０π使用上下キャプに浮上時・着地時の機材部材を装備するＶＵ管は縦形水容器にし枠組み内に立てて実施
先に重量空気体用容器を空気体積５０ｌ分をステンレス３０４材で円筒形底なしに加工し空気体容器内天井に空気と水のコーティングマグネット開閉弁を備える
開閉弁口は円形で大口に水容器内水中を重量空気体容器が吊り下がる速度・重量分を働くように大口に構作している。水容器内底面に重量空気体容器着地台・着地台下に給気口下向きが備えています。底なし空気体容器下内側に垂れ回り縁が備えている
空気体容器と垂れ回り縁が同じに着地台に着地すると空気と水のマグネット開閉弁が閉じる
空気体容器外上面に空気体容器水中内浮上時上水の水重圧加圧されマグネット開閉弁が下方向に外れ防止用にポリカ樹脂材フタをマグネット開閉弁上面に上下移動にボルトで連結装備している。空気体容器浮上力に押されマグネット開閉弁は下方向に外れる仕組みです
マグネット開閉弁下方向に外れたまま水容器内水中内を吊り下がり着地と同じに空気と水のマグネット開閉弁が閉じ給気を行い重量空気体容器の浮上と吊り下がりの繰返し
重量空気体容器の総重量４５ｋｇ内に構作している外チェーン垂るみ重量分２．５ｋｇ重量空気体容器浮上時５０ｋｇプラス外チェーン垂るみ重量分２．５ｋｇ＝５２．５ｋｇ浮上分水中内吊り下がり重量は約４０ｋｇ吊り下がり重量分で自然エネルギーを起す
【産業上の利用可能性】
【００１１】自然エネルギーを起し発電を行うことができる水中内浮上力
地球上に空気と水と重力ある限り無期限に起きる自然エネルギー自家発電・電源開発に活用できる
【符号の説明】
【００１２】１  縦形水容器を設置する櫓
２  縦形水容器
３  重量空気体容器
４  水容器内水量定位置
５  水中内使用するＳＵＳワイヤーロープ
６  排気パイプ
７  ＳＵＳワイヤーロープ用滑車
８  外重り吊るす歯車滑車
９  外重りチェーン垂れ防止用
１０チェーン
１１スポーク車輪高速変速機ゴムタイヤ
１２クラッチ付歯車重量空気体容器浮上時は空回り。吊り下げ時は動力回転
１３発電機
１４空気給気バルブ
１５スポーク車輪高速変速機
１６水容器内給気口下向き
１７重量空気体容器着地台
１８コーティングマグネット開閉弁
１９円形排気口
２０重量空気体容器外上ブタ上下移動用長ボルト
２１重量空気体容器外上ブタ（浮上時上水水重加圧防止ブタ）
２２基礎台
２３給水バルブ
２４垂れスイッチ重量空気容器着地時に空気と水のマグネット開閉弁スイッチ
【図１】
2013002439.tif 000003
【図２】
2013002439.tif 000004
【図３】
2013002439.tif 000005
【手続補正書】
【提出日】平成23年7月14日(2011.7.14)
【手続補正１】
【補正対象書類名】明細書
【補正対象項目名】全文
【補正方法】変更
【補正の内容】
【発明の詳細な説明】
【技術分野】
【０００１】地球上に空気と水と重力ある限り水中内空気体浮上力は無限に起きる
水中内空気体浮上力を活用し重量空気体容器を押し上げ重量空気体容器内から空気体を抜く重量空気体容器は金属重量体に変わり水中内を下方向に下がる力を活用する。水重量と金属重量の体積比重差を水中内で活用し自然エネルギーを起し発電を行う
水中内空気体浮上力を起す縦形水容器を立てて水容器内に空気体容器内上面に空気体開閉弁付底なし重量空気体容器を入れその後縦形水容器内に水を入れ水容器内底面より給気を行う
重量空気体容器浮上力は空気体と水の体積比重差応用し重量空気体容器を水中内で浮上を起す浮上後重量空気体容器内から空気体を抜き後は重量空気体容器が金属重量となり水容器内水中内で水重量対金属重量の体積比重差が起きる
金属重量分は水中内下方向に下がる、下がる力を活用する下に下がる金属重量分を発電機主軸回転は水容器外で行う発電機主軸回転を起す機材類機材類を備える櫓・滑車・クラッチ付歯車滑車・ワイヤーロープ・チェーン・外重り・発電機・縦形水容器発電機主軸回転主軸にクラッチ付歯車滑車を水容器内水中内重量空気体容器が下がる時は原動力回転を起す。重量空気体容器浮上時はクラッチ付歯車滑車空回り転じ外重りを吊り下げと原動力回転にチェーンを使用し水中内はワイヤーロープ使用する
水容器内重量空気体容器浮上と水中内を重力で吊り降りる重量空気体容器内には空気体開閉弁と水中内で使用できるコーティング加工マグネットを円形上に工作し水容器内水中内を重量空気体容器上から下へ吊り降りる通過速度に合せコーティングに加工マグネットと空気漏れを防ぐパッキンと重量空気体容器外頭上面に水中内浮上時の上水水重圧分を防ぐ上下移動フタを備える
【背景技術】
【０００２】１ｃｃ＝１ｇ空気対水の体積比重差を水中内で空気体浮上を起し重量物の押し上げて利用する又は同じ水中内で重量物吊し下げる力で発電・電力エネルギーに変え装置は現在までにはない
【先行技術文献】
【０００３】水中内で自然エネルギーを起す
水中内において１ｃｃ＝１ｇ空気対水の体積比重差応用する底なし空気体容器
水中内で空気と水の体積比重差を応用して水中内で重量体を空気体浮上力により水面上まで重量体を押し上げる力は自然エネルギー活用になります
空気体容器を重量体にして水中内で水と金属重量差により下がると力が発生する自然エネルギーで重量体を押し上げその場水中内を下方向に下げるために重量空気体容器内の空気体を抜き水中内で重量空気体の容器を吊り下げ吊り下がる力を活用して発電を行う。水中内で発電する原動力源を発生を行い外で発電を行う
水中内重量体を押し上げる・水中内重量体を吊り下げる力も自然エネルギーです
【特許文献】
【０００４】水中内に入れる重量空気体容器は吊り下げ重りになり自然エネルギーが起きる
水中内で自然エネルギーを起しその自然エネルギーを発電の原動力源にする
水中内１ｃｃ＝１ｇ空気と水の体積比重差活用・水と金属体積比重差を活用
水中内空気体浮上力で重量体を上方向に上げる力は自然エネルギー上げた重量体を水中内吊り下がるも水中内自然エネルギー
水中内で起きる自然エネルギーを活用して発電を行う発電装置
（例）水の中に入れる空気体容器内の体積を１００パーセントの考え空気体容器重量を９０パーセントまでの重量に金属空気体容器底なしを造る水中内に入れる重量空気体容器内頭上部に空気と水の開閉弁付を水容器内に入れて重量空気容器全体体積分を差し引き水量を水容器内定位置まで水を入れ後に水容器内底面より給気を行うと空気体容器内の水は空気体容器内から追い出されて空気体容器内は空気体の１つになり水中内で１ｃｃ＝１ｇの空気対水の体積比重差現象が現われ９０パーセントの重量空気対容器が水中を浮上する。
浮上後空気対容器内頭上部に備えてる空気と水の開閉弁が下方向に開き空気対容器内から空気対は排気され水より重量空気体容器は体積比重が重いので重量空気体容器は水中内に吊り下がり水容器外下に備えている発電機用のチェーンが引かれ発電機主軸回転が起きる発電して電力エネルギーに変えられる
水容器内重量空気体容器が下に下がる着地と同じに空気と水のマグネット付開閉弁が閉まる繰返し行われる。空気と水の体積比重差を水中内で浮上力変えて活用し水より重い重量体を上げて水中内で重量体を吊り下がる力は自然エネルギーです。
自然エネルギーを起し電力エネルギーに変えられる
一体の縦形水容器内において重量空気体容器を空気体浮上に活用し浮上後水中内下方向に吊り下がる重量空気体容器を発電する原動力になる
【発明の概要】
【発明が解決しようとする課題】
【０００５】水容器内に入れる重量空気体容器内頭上部に備える空気と水の開閉弁
水容器内の水量は定位置で水量が一定していますが水容器内水中内を重量空気体容器は上下に移動をしないと水中内で自然エネルギーは起せない。そのためには重量空気体容器内頭上部に備える空気と水の開閉弁口を大きく広くすることで水中内の重量空気体容器は水中内を上下移動が速くなり水中内の重量空気体容器の重量吊り下がりが活用でき水中内で自然エネルギーが起きる
【課題を解決するための手段】
【０００６】水容器内に入れる重量空気体容器頭上部外に空気体容器浮上時の上水水重圧止メを備える図一・符号・２１
重量空気体容器内頭上部に備えた空気と水の開閉弁図一・符号・１８
コーティングマグネットを使用して空気と水の開閉弁口を円形状に構作し備える
水容器内水中内を重量空気体容器浮上時に上部にある水の水重圧が加えられ開閉弁が下方向に下がるため空気体が漏れるから重量空気体容器外頭上部に水重量より重い水重加圧止メ材を円形状を上下移動するフタを備えて水重加圧止メをすると重量空気体容器は浮上する浮上後重量空気体容器内のマグネット開閉弁が下方向に下がり空気体は排気して重量空気体容器が水中内下方向に下がる時重量空気体容器が重いので下方向に下がる力で水重加圧止メフタは上方向に開き開いたまま水容器内底面に着地上ブタは水重量より重いから再度平にフタになる
空気と水のマグネット開閉弁も着地装置で閉じる。水容器内底面より再度給気を行うと水容器内の重量空気体容器は水中内を上下移動する繰返しが実施される
【発明の効果】
【０００７】縦形水容器内水中内だから水中内重量空気体容器浮上力が起き自然エネルギー発生源となる
縦形水容器内水中内に空気対水体積比重差応用で重量体を水中内で浮上力により重量体を押し上げる力自然エネルギー水中内限りです。水中内で重量体を押し上げ重量体が水中内を吊り下がるのが自然エネルギー発生源です。水容器内に重量空気体容器を入れ浮上力で押し上げ後吊り下げで自然エネルギー発生を行う。縦形水容器内で外発電の原動力源を起す。
自家発電・縦形水容器を連結体にすると電源開発が実施できる
【図面の簡単な説明】
【０００８】
【図１】立体側面図
【図２】立体正面図
【図３】平面図
【発明を実施するための形態】
【０００９】発明を実施するには水中内に入れる浮上用重量空気体容器を金属材加工
水中内浮上力起す空気体積と重量体ｋｇ（例）空気と水の体積比重差応用
水中内に入れる重量空気体容器内空気体積１００ｌ入り・重量空気体容器総重量９０ｋｇ内に構作し重量空気体底なし容器を縦形水容器内に入れる水中内では１００ｌ空気体体積量で９０ｋｇ重量体を空気体浮上力で縦形水容器内水上面まで押し上げる。
押し上げた９０ｋｇ重量体をその場水中内で吊り下げ、吊り下げ重量分で発電機軸回転を起す原動力源発生を水中内で起す。
浮上力自然エネルギーを起す機材を縦形水容器内外に装備する。縦形水容器を縦に立てる基礎台・櫓などを造り機材類を設置しその後縦形水容器を縦に立てて水容器内水定位置まで給水を行う。
縦形水容器内寸と水中内に入れる重量空気体容器外寸との間に隙間を設ける。
【実施例】
【００１０】  実施先立に櫓の代用として足場パイプ材で枠組み。その内で水道排水パイプＶＵ径３５０π使用上下キャプに浮上時・着地時の機材部材を装備するＶＵ管は縦形水容器にし枠組み内に立てて実施
先に重量空気体用容器を空気体積５０ｌ分をステンレス３０４材で円筒形底なしに加工し空気体容器内天井に空気と水のコーティングマグネット開閉弁を備える
開閉弁口は円形で大口に水容器内水中を重量空気体容器が吊り下がる速度・重量分を働くように大口に構作している。水容器内底面に重量空気体容器着地台・着地台下に給気口下向きが備えています。底なし空気体容器下内側に垂れ回り縁が備えている
空気体容器と垂れ回り縁が同じに着地台に着地すると空気と水のマグネット開閉弁が閉じる
空気体容器外上面に空気体容器水中内浮上時上水の水重圧加圧されマグネット開閉弁が下方向に外れ防止用にポリカ樹脂材フタをマグネット開閉弁上面に上下移動にボルトで連結装備している。空気体容器浮上力に押されマグネット開閉弁は下方向に外れる仕組みです
マグネット開閉弁下方向に外れたまま水容器内水中内を吊り下がり着地と同じに空気と水のマグネット開閉弁が閉じ給気を行い重量空気体容器の浮上と吊り下がりの繰返し
重量空気体容器の総重量４５ｋｇ内に構作している外チェーン垂るみ重量分２．５ｋｇ重量空気体容器浮上時５０ｋｇプラス外チェーン垂るみ重量分２．５ｋｇ＝５２．５ｋｇ浮上分水中内吊り下がり重量は約４０ｋｇ吊り下がり重量分で自然エネルギーを起す
【産業上の利用可能性】
【００１１】自然エネルギーを起し発電を行うことができる水中内浮上力
地球上に空気と水と重力ある限り無期限に起きる自然エネルギー自家発電・電源開発に活用できる
【符号の説明】
【００１２】１    縦形水容器を設置する櫓
２    縦形水容器
３    重量空気体容器
４    水容器内水量定位置
５    水中内使用するＳＵＳワイヤーロープ
６    排気パイプ
７    ＳＵＳワイヤーロープ用滑車
８    外重り吊るす歯車滑車
９    外重りチェーン垂れ防止用
１０  チェーン
１１  スポーク車輪高速変速機ゴムタイヤ
１２  クラッチ付歯車重量空気体容器浮上時は空回り。吊り下げ時は動力回転
１３  発電機
１４  空気給気バルブ
１５  スポーク車輪高速変速機
１６  水容器内給気口下向き
１７  重量空気体容器着地台
１８  コーティングマグネット開閉弁
１９  円形排気口
２０  重量空気体容器外上ブタ上下移動用長ボルト
２１  重量空気体容器外上ブタ（浮上時上水水重加圧防止ブタ）
２２  基礎台
２３  給水バルブ
２４  垂れスイッチ重量空気容器着地時に空気と水のマグネット開閉弁スイッチ